(57)【要約】【課題】読み取った２以上の原稿のそれぞれを色指定し、それぞれ単色画に変換した有色合成画像を生成できる原稿画像読取装置を提供する。【解決手段】原稿を黒白画像として読み取る画像読取手段Ｂと、読み取った原稿を色指定する操作部１８と、画像読取手段Ｂで読み取った各原稿を、操作部１８で指定された色の単色画に変換し、それらを重ね合わせて、有色合成画像を生成する画像合成制御手段Ａとを備えている。【選択図】図１
2007081606.tif 000002
【特許請求の範囲】
【請求項１】
読み取った２以上の原稿画像を重ね合わせた合成画像を生成する機能を備えた原稿画像読取装置において、
原稿を黒白画像として読み取る画像読取手段と、
読み取った原稿を色指定する操作部と、
上記画像読取手段で読み取った各原稿を、上記操作部で指定された色の単色画に変換し、それらを重ね合わせて、有色合成画像を生成する画像合成制御手段とを備えた原稿画像読取装置。
【請求項２】
請求項１において、
上記操作部は、読み取った各原稿の優先順位が設定でき、
上記画像合成制御手段は、複数の原稿の画像が重複する部分では、上記優先順位の高い方の原稿画像が上方に現れるようにしている特徴とする原稿画像読取装置。
【請求項３】
請求項１または２において、
上記操作部は、読み取った各原稿の優先順位が設定でき、
上記画像合成制御手段は、複数の原稿の画像が重複する部分では、上記優先順位の高い方の原稿画像のみが現れるようにしていることを特徴とする原稿画像読取装置。
【発明の詳細な説明】
【技術分野】
【０００１】
本発明は、読み取った２以上の原稿を重ね合わせた合成画を生成する機能を備えた原稿画像読取装置に関する。
【背景技術】
【０００２】
従来、スキャナやファクシミリ装置といった原稿画像読取装置が広く使用されており、原稿画像を読み取って画像データを生成し、外部の通信端末装置に、読み取った画像データを転送したり、印字出力するようにしている。
【０００３】
近時では、下記特許文献１に示すように、読み取った２以上の原稿を重ね合わせた合成画を生成する原稿画像読取装置が提案されている。
【特許文献１】特開平２−２９５３５０号公報
【発明の開示】
【発明が解決しようとする課題】
【０００４】
ところで、読み取った２以上の原稿を重ね合わせた合成画を生成する際に、それぞれのモノクロ原稿画に対して、色を指定して合成することができれば便利である。
【０００５】
特に、本文の画像に重ね合わせる原稿画像が、従業員などに対して守秘義務がある点を通知するための丸秘マーク、会社ロゴや、すかし画像である場合には、合成画像において、本文の画像と識別できるような重ね合わせの処理ができることが望ましい。しかしながら、従来技術によれば、そのような高度な重ね合わせの処理を単独で実施できるような原稿画像読取装置は存在しておらず、そのために、読み取った複数の原稿画像をパーソナルコンピュータ等に転送し、画像処理ソフトウェアで重ね合わせの処理を実施する必要があった。
【０００６】
そこで、本発明は、このような事情を考慮して提案されるものであり、２以上の原稿を重ね合わせた合成画像においても、それぞれの原稿の画像が互いに識別できる原稿画像読取装置を提供することを目的とする。
【課題を解決するための手段】
【０００７】
上記目的を達成するため、請求項１では、原稿を黒白画像として読み取る画像読取手段と、読み取った原稿を色指定する操作部と、画像読取手段で読み取った各原稿を、操作部で指定された色の単色画に変換し、それらを重ね合わせて、有色合成画像を生成する画像合成制御手段とを備えている。
請求項２では、操作部は、読み取った各原稿の優先順位が設定でき、画像合成制御手段は、複数の原稿の画像が重複する部分では、優先順位の高い方の原稿画像が上方に現れるようにしている特徴とする。
請求項３では、操作部は、読み取った各原稿の優先順位が設定でき、画像合成制御手段は、複数の原稿の画像が重複する部分では、優先順位の高い方の原稿画像のみが現れるようにしていることを特徴とする。
【発明の効果】
【０００８】
本発明の請求項１では、原稿画像読取装置単独で、原稿から読み取った複数の黒白画像を、それぞれ指定された色の単色画に変換して重ね合わせ、有色合成画像を生成できるようにしたので、その有色合成画像では、それぞれの原稿の画像が互いに識別可能であり、パーソナルコンピュータ等により、丸秘マークや会社ロゴと本文の画像とを重ね合わせるような処理が不要になる。
【０００９】
請求項２では、読み取った各原稿の単色画を重ね合わせる際には、複数の原稿の画像が重複する部分では、優先順位が高い方の原稿画像が上方に現れるようにしているので、特に、丸秘マークや会社ロゴ等が目立つように原稿の画像を重ね合わせることができる。
【００１０】
請求項３では、複数の原稿の画像が重複する部分では、優先順位の高い方の原稿画像のみが現れるようにするので、結果的には複数の原稿の画像が重複する部分では、優先順位の高い方の原稿画像のみを抽出させるということになり、利便である。
【発明を実施するための最良の形態】
【００１１】
以下に、本発明の実施の形態について説明する。
【実施例１】
【００１２】
図１は、本発明の原稿画像読取装置の要部構成の一例を示すブロック図である。
【００１３】
この原稿画像読取装置１は、画像合成制御手段Ａ、画像読取手段Ｂ、操作部１８とを少なくとも備えている。
画像合成制御手段Ａは、画像読取手段Ｂで読み取った各原稿を、指定された色の単色画に変換し、それらを重ね合わせて、有色合成画像を生成する。
画像読取手段Ｂは、予めセットされた１または複数の原稿を読み取って画像データを生成する。
操作部１８は、本発明の特徴とする画像合成処理を指令する手段、画像合成処理過程において指定色や優先順序を指定する手段としての機能をなす。
図２は、このような原稿画像読取装置１の具体的な構成の一例を示すブロック図である。なお、ここでは、原稿画像読取装置１の一例としてファクシミリ装置Ｆａ（１）の構成を示しているが、この例には限られず、ファクシミリ装置、複写機、スキャナ、プリンタなどの機能のうち、少なくとも、２以上の機能を組み合わせた複合機にも適用できる。
図２に示すファクシミリ装置Ｆａ（１）は、この装置Ｆａ（１）を制御するＣＰＵ１０、電話回線Ｌに対する接続制御を行うＮＣＵ１１、ファクシミリ通信に必要な各種信号の変復調を行うモデム１２、短縮ダイヤルなどを登録するＲＡＭ１３、この装置１が動作するのに必要な各種プログラムを記憶するＲＯＭ１４、画像データを一時格納する画像メモリ１５、セットされた原稿を読み取り、画像読取手段を構成し、画像データを形成するスキャナ１６、表示部１７、操作部１８、プリンタ１９、外部の演算処理装置ＰＣをネットワークを介して接続するインタフェース２０、画像合成制御手段を構成する画像合成制御回路２１を備えている。
【００１４】
画像合成制御回路２１は、スキャナ１６で読み取った２以上の原稿を重ね合わせた合成画を生成する。すなわち、各々の黒白画像について操作部１８によって、色を指定した画像合成指令操作を受け付けると、スキャナ１６にセットされた複数の原稿を読み取って黒白画像を生成し、各々の黒白画像を指定された色の単色画に変換して重ね合わせ、有色合成画像を生成する。
【００１５】
操作部１８による色指定は、一枚目の原稿を赤、２枚目の原稿を黄といったように指定する。全原稿の色指定が終了すれば、画像合成指令操作を行う。
【００１６】
このような画像合成処理について、図３とともに説明する。
【００１７】
図３では、画像合成処理の一例を模式的に示しており、１枚目の原稿Ｐ１と２枚目の原稿Ｐ２が存在しており、各々の原稿Ｐ１，Ｐ２について、赤、黄のそれぞれが色指定されたとする。すると、読み取った原稿Ｐ１の黒白画像を赤色に変換して画像メモリ１５に格納、ついで、読み取った原稿Ｐ２の黒白画像を黄色に変換して画像メモリ１５に格納し、それぞれの変換画像を画像メモリ１５から取り出し、原稿Ｐ１、Ｐ２の各画素同士を論理和等の論理演算により重ね合わせる。このような処理により、原稿Ｐ１の内容「Ａ」が赤色、原稿Ｐ２の内容「Ｂ」が黄色で表された合成画像Ｐ３を生成することができる。
【００１８】
図４は、このような画像合成処理について示すフローチャートである。すなわち、操作部１８の所定操作によって画像合成モードを受け付けると、色指定を受け付け、読取指示がなされると、スキャナ１６にセットされた原稿を１枚読み取る。
【００１９】
このような処理をスキャナ１６にセットされた原稿が無くなるまで繰り返し、全原稿について繰り返した後には、それぞれの原稿画像を指定色に変換し、重ね合わせる。
【００２０】
また、本発明では、複数の原稿画像が重複する部分においてどのように重ね合わせるかを指定する優先順位を指定できる。
【００２１】
すなわち、装置Ｆａ（１）が原稿画像を重ね合わせる前段階において、操作部１８の操作により、優先順位を指定できる。
【００２２】
図５は、このような画像合成処理の例を示す図である。
【００２３】
すなわち、原稿Ｐ１に丸秘マークＭＳを含んでおり、原稿Ｐ２には、原稿画像「Ａ」、「Ｂ」を含んでいるとする。なお、丸秘マークのほか、会社ロゴを含んでいてもよい。
【００２４】
操作部１８の操作によって、原稿Ｐ１の優先順位が原稿Ｐ２よりも高い場合、合成画Ｐ３においては、原稿画像Ｐ１の丸秘マークＭが上方になるように重ね合わされるため、原稿Ｐ１の丸秘マークＭが、原稿Ｐ２の内容「Ａ」の上位に位置するようになる。
【００２５】
図６は、このような画像合成処理について示すフローチャートである。
【００２６】
すなわち、操作部１８の所定操作によって画像合成モードを受け付けると、色指定を受け付け、読取指示がなされると、スキャナ１６にセットされた原稿を１枚読み取る。
【００２７】
このような処理をスキャナ１６にセットされた原稿が無くなるまで繰り返し、全原稿について繰り返した後には、それぞれの原稿画像を指定色に変換する。
【００２８】
ついで、操作部１８による優先順位の指定操作を受け付ける。優先順位が指定されると、複数の原稿の画像が重複する部分を、座標位置などを基にして判別し、優先順位が高い方を優先順位が低い方の原稿画像よりも上位になるように重ね合わせる。
【００２９】
なお、ここでは、複数の原稿の画像が重複する部分について、優先順位が高い方の原稿画像を優先順位が低い方の上位になるように重ね合わせているが、優先順位が高い方の原稿画像のみが合成画に現れるようにしてもよい。この場合、優先順位の低い方の原稿画像を画像メモリ１５から読み出さず、優先順位が高い方の原稿画像のみを画像メモリ１５から読み出すようにするとよい。
【００３０】
このようにして生成した合成画Ｐ３は、画像メモリ１５に格納した後、指定された外部の演算処理装置ＰＣに転送したり、装置Ｆａ（１）自身で印字出力や表示したり、外部のファクシミリ装置にファクシミリ送信するようにすればよい。
【００３１】
図７は、画像合成処理における色指定、優先順位指定それぞれの画面の一例を示す図である。
【００３２】
操作部１８による画像合成処理モードの実行を受け付けると、画像合成制御回路２１は、表示部１７に、図７（ａ）に示す色指定画面を表示させる。この色指定画面は、スキャナ１６によって１枚原稿を読み取る直前に表示され、タッチパネル態様で表示された色指定ボタン１８Ａを操作して、赤、黄、黒の３色から任意の色を選択できるようにしている。
【００３３】
なお、赤、黄、黒のみに指定色は限定されない。
【００３４】
色指定画面における色選択がされ、全原稿が読み取られた後には、図７（ｂ）に示す優先順序指定画面が表示される。この画面では、読み取ったそれぞれの原稿画像に対して、タッチパネル態様で表示された優先順位指定ボタン１８Ｂを操作して、優先順位が指定できる。すなわち、読み取った枚数がＮ枚存在するとすると、それぞれの原稿について、１〜Ｎまで優先順位が指定できる。
【図面の簡単な説明】
【００３５】
【図１】本発明による原稿画像読取装置の要部構成の一例を示すブロック図
【図２】本発明の具体的な構成の一例を示すブロック図
【図３】合成画像データ生成態様の一例を示す図
【図４】画像合成処理の一例について説明するためのフローチャート
【図５】合成画像データ生成態様の他例を示す図
【図６】画像合成処理の他例を説明するためのフローチャート
【図７】画像合成処理における表示部の表示態様の一例を示す図
【符号の説明】
【００３６】
１  原稿画像読取装置
Ａ  画像合成制御手段
Ｂ  画像読取手段
１８  操作部
【図１】
2007081606.tif 000003
【図２】
2007081606.tif 000004
【図３】
2007081606.tif 000005
【図４】
2007081606.tif 000006
【図５】
2007081606.tif 000007
【図６】
2007081606.tif 000008
【図７】
2007081606.tif 000009